【事件の表示】
　特願２０１６−　８８０６６「シュレッダ及びこれを用いたシート状物処理装置」拒絶査定不服審判事件〔平成２９年１１月　２日出願公開、特開２０１７−１９６５５５、請求項の数（２２）〕について、次のとおり審決する。
【結　論】
　原査定を取り消す。
　本願の発明は、特許すべきものとする。
【理　由】
第１　手続の経緯
　本願は、平成２８年４月２６日の出願であって、平成３０年１１月１３日付けの拒絶理由通知に対し、平成３１年１月２１日付けで意見書が提出されるとともに手続補正がなされたが、令和１年６月２１日付けで拒絶査定がなされ、これに対して同年９月３０日付けで拒絶査定不服審判の請求がなされると同時に手続補正（以下、「本件補正」という。）がなされたものである。
第２　原査定の概要
　原査定の拒絶の理由は、平成３０年１１月１３日付け拒絶理由通知書に記載した理由２であり、要するに、平成３１年１月２１日付け手続補正により補正された特許請求の範囲の請求項１〜７、１０、１１、１４〜１７、１９〜２２に係る発明は、以下の引用文献７、４又は５に記載された発明並びに引用文献４、５、７及び８に記載された技術的事項に基いて、その出願前にその発明の属する技術の分野における通常の知識を有する者が容易に発明をすることができたものであるから、特許法第２９条第２項の規定により特許を受けることができないという、進歩性欠如に関するものである。
引用文献一覧
４.実願昭６０−０８６９５８号（実開昭６１−２０４６５１号）のマイクロフィルム
５.実願昭６０−０３９０１９号（実開昭６１−１５９０４６号）のマイクロフィルム
７.特開２００２−２３９４０５号公報
８.特開昭６３−２６９９９号公報
第３　本願発明
　本願請求項１〜２２に係る発明は、本件補正後の特許請求の範囲の請求項１〜２２に記載された事項により特定されるものであるところ、原査定の対象とされた請求項１〜７、１０、１１、１４〜１７、１９〜２２に係る発明（以下、「本願発明１」などとい、これらまとめて「本願発明」という。）は、次のとおりのものである。
　「【請求項１】
　一若しくは複数枚のシート状物からなる被細断物が投入される投入口を有するシュレッダ筐体と、
　前記投入口に連通して設けられ、前記投入口から投入された前記被細断物を下方に向けて搬入する搬入経路と、
　前記搬入経路の途中に設けられ、互いに噛み合うように配置される対構成のカッタ要素を有し、当該対構成のカッタ要素の噛み合い領域に搬入される被細断物を細断する細断機構と、
　前記投入口から前記細断機構に至るまでの搬入経路の一部に前記被細断物の搬入方向に交差する幅方向に沿って設けられ、前記搬入経路の前記被細断物の厚さ方向に対応する開口幅を規制する規制部材と、を備え、
　前記搬入経路は前記投入口から斜め下方に傾斜して配置されており、
　前記規制部材は、前記搬入経路の前記開口幅として予め決められた厚さ寸法の１枚のシート状物が非接触状態で通過可能な隙間を確保し、少なくとも前記被細断物に接触する部位が前記被細断物の搬入方向に沿って曲面を有すると共に、細断可能な最大厚さ以下で前記隙間以上の厚さ寸法の被細断物が搬入されたときには、前記被細断物との接触により当該被細断物の厚さに応じて水平方向よりも斜め上方に向かって退避移動することで前記開口幅を規制することを特徴とするシュレッダ。
　　【請求項２】
　一若しくは複数枚のシート状物からなる被細断物が投入される投入口を有するシュレッダ筐体と、
　前記投入口に連通して設けられ、前記投入口から投入された前記被細断物を下方に向けて搬入する搬入経路と、
　前記搬入経路の途中に設けられ、互いに噛み合うように配置される対構成のカッタ要素を有し、当該対構成のカッタ要素の噛み合い領域に搬入される被細断物を細断する細断機構と、
　前記投入口から前記細断機構に至るまでの搬入経路の一部に前記被細断物の搬入方向に交差する幅方向に沿って設けられ、前記搬入経路の前記被細断物の厚さ方向に対応する開口幅を規制する規制部材と、を備え、
　前記搬入経路は前記投入口から略鉛直下方に向かって配置されており、
　前記規制部材は、前記搬入経路の前記開口幅として予め決められた厚さ寸法の１枚のシート状物が非接触状態で通過可能な隙間を確保し、少なくとも前記被細断物に接触する部位が前記被細断物の搬入方向に沿って曲面を有すると共に、細断可能な最大厚さ以下で前記隙間以上の厚さ寸法の被細断物が搬入されたときには、前記被細断物との接触により当該被細断物の厚さに応じて前記被細断物の搬入方向に対して略直交する水平方向若しくは当該水平方向よりも斜め上方に向かって退避移動することで前記開口幅を規制することを特徴とするシュレッダ。
　　【請求項３】
　請求項１に記載のシュレッダにおいて、
　前記規制部材は、前記被細断物が接触したときに前記被細断物の搬入方向に対して略直交する方向に向かって退避移動可能であることを特徴とするシュレッダ。
　　【請求項４】
　請求項１又は２に記載のシュレッダにおいて、
　前記規制部材は、前記被細断物が接触したときに前記被細断物の搬入方向に沿って移動可能であることを特徴とするシュレッダ。
　　【請求項５】
　請求項４に記載のシュレッダにおいて、
　前記規制部材は、前記搬入経路に搬入された被細断物との接触に追従して回転するロールであることを特徴とするシュレッダ。
　　【請求項６】
　請求項１又は２に記載のシュレッダにおいて、
　前記規制部材は、前記投入口から前記細断機構に至るまでの搬入経路のうち前記細断機構寄りに設けられていることを特徴とするシュレッダ。
　　【請求項７】
　請求項１又は２に記載のシュレッダにおいて、
　前記シュレッダ筐体はその頂部に断面略Ｖ字状の凹所を有すると共に、この凹所の底に前記投入口を有しており、
　前記規制部材は、前記凹所のうち前記投入口に面した箇所に設けられていることを特徴とするシュレッダ。
　　【請求項１０】
　請求項１又は２に記載のシュレッダにおいて、
　前記規制部材の両端支持部を進退可能に支持する支持機構が設けられ、
　前記規制部材は、支持機構の進出位置に支持されたときに前記搬入経路の開口幅として前記隙間を確保することを特徴とするシュレッダ。
　　【請求項１１】
　請求項１に記載のシュレッダにおいて、
　前記規制部材は、前記搬入経路の下側を区画する下側区画部材を対向部材として一つ設けられていることを特徴とするシュレッダ。
　　【請求項１４】
　請求項１又は２に記載のシュレッダにおいて、
　前記規制部材は、前記搬入経路に搬入される被細断物を挟み込むように対構成にて対向配置されていることを特徴とするシュレッダ。
　　【請求項１５】
　請求項１又は２に記載のシュレッダにおいて、
　前記搬入経路は前記規制部材に対向する部位に対向部材を有しており、
　当該対向部材は前記被細断物の他方の面に接触するように配置される案内規制部材を備え、
　前記案内規制部材は、少なくとも前記被細断物に接触する部位が前記被細断物の搬入方向に沿って曲面を有することを特徴とするシュレッダ。
　　【請求項１６】
　請求項１５に記載のシュレッダにおいて、
　前記案内規制部材は前記被細断物が接触したときに前記被細断物の搬入方向に沿って移動可能であることを特徴とするシュレッダ。
　　【請求項１７】
　請求項１又は２に記載のシュレッダにおいて、
　前記規制部材の両端支持部を進退可能に支持する支持機構が設けられ、
　前記支持機構は、前記規制部材の退避方向とは反対側の方向に向けて前記規制部材が付勢される付勢部材を有することを特徴とするシュレッダ。
　　【請求項１９】
　請求項１又は２に記載のシュレッダにおいて、
　前記規制部材を進退可能に支持する支持機構が設けられ、
　前記支持機構は、前記規制部材を支点を中心に揺動可能に支持することを特徴とするシュレッダ。
　　【請求項２０】
　請求項１又は２に記載のシュレッダにおいて、
　前記規制部材は、被細断物との接触に追従して回転する導電性ロールを有し、前記導電性ロールの周面に導電性繊維を設けたことを特徴とするシュレッダ。
　　【請求項２１】
　請求項１又は２に記載のシュレッダにおいて、
　前記規制部材が退避移動したときに、前記被細断物の細断可能な最大厚さに相当する予め決められた許容値を超えた状況が検出可能な検出器を備えることを特徴とするシュレッダ。
　　【請求項２２】
　シート状物を処理する処理部と、
　前記処理部による処理が適正になされないシート状物を被細断物として細断する請求項１乃至２１のいずれかに記載のシュレッダと、を備えていることを特徴とするシート状物処理装置。」
第４　各引用文献の記載事項
１　引用文献７の記載事項
　原査定の理由に引用された引用文献７には、次の事項が記載されている。
（１）　「【請求項１】シュレッダーの被細断物投入口において、フロントシュートカバーとリアエンドカバーで構成される投入通路を細断刃の細断可能枚数の厚味より大きく設定すると共に、該投入通路に通路を通過する被細断物の厚味を検知する検知機構を設け、所定の厚味以上の被細断物が通過した場合に細断刃の駆動モーターを停止するようにしたことを特徴とするシュレッダーの被細断物投入口。
【請求項２】検知機構は、断面略コの字状の筒状部材からなる厚味制限筒体であって、投入口側板間に架設した支軸に回動可能に軸支し、コイルバネによってフロントシュートカバー側に付勢すると共にリアエンドカバーで回動を規制して投入通路の大きさが細断可能枚数となるようにしたものである請求項１に記載のシュレッダーの被細断物投入口。
【請求項３】厚味制限筒体の後壁に近接してマイクロスイッチを設け、該厚味制限筒体の回動によってマイクロスイッチが作動して細断刃の駆動モーターを停止するようにした請求項１または請求項２に記載のシュレッダーの被細断物投入口。」
（２）　「【０００７】
【発明が解決しようとする課題】本発明は、紙束の細断時に所定枚数以上の紙が供給されて紙詰まりが発生することを防止するため、細断刃に一定量以上の紙が供給されないようにすることを目的とすると共に、紙詰まり時の逆転排出動作の際にはカバーを手動で開ける手間を省き、逆転排出動作をスムーズにし、さらに、細断刃の駆動モーターの逆転排出動作時間を必要最低限にして電力エネルギーの浪費を抑制することを目的としたものである。
【０００８】
【課題を解決するための手段】上記課題を解決するため本発明は、シュレッダーの被細断物投入口において、フロントシュートカバーとリアエンドカバーで構成される投入通路を細断刃の細断可能枚数の厚味より大きく設定すると共に、該投入通路に通路を通過する被細断物の厚味を検知する検知機構を設け、所定の厚味以上の被細断物が通過した場合に細断刃の駆動モーターを停止するようにするという手段を採用した。
【０００９】該検知機構によって、細断刃の細断可能枚数以上の紙束が投入されると、直ちに細断刃の駆動モーターが停止するので、細断を開始することが無く、駆動モーターに過負荷がかかることを確実に回避できるものである。
【００１０】そして、この検知機構は、断面略コの字状の筒状部材からなる厚味制限筒体であって、投入口側板間に架設した支軸に回動可能に軸支し、コイルバネによってフロントシュートカバー側に付勢すると共にリアエンドカバーで回動を規制して投入通路の大きさが細断可能枚数となるようにしたものである。
【００１１】厚味制限筒体によって投入通路の高さを規制しているので、所定枚数以下の紙束は容易に通過して細断されると共に、細断可能枚数以上の紙束が通過する際には、紙束が厚味制限筒体を押し上げることになり、駆動モーターが停止されるものである。
【００１２】このため、厚味制限筒体の後壁に近接してマイクロスイッチを設け、該厚味制限筒体の回動によってマイクロスイッチが作動して細断刃の駆動モーターを停止するようにした。
【００１３】所定厚さ以上の紙束が通過すると、厚味制限筒体が押し上げられ、その回動によってマイクロスイッチが作動するので、細断刃の駆動モーターを直ちに停止できるものである。」
（３）　「【００１４】
【発明の実施の形態】以下、本発明にかかるシュレッダーの被細断物投入口について、好ましい実施の形態を図面に従って説明する。図１は本発明装置を備えたシュレッダーの一部省略側面断面図、図２はその部分拡大図である。また図３は投入口の平面図である。さらに図４、図５は動作説明図である。
【００１５】各図において、１はフロントシュートカバー、２はリアエンドカバーで、両者と左右の投入口側板３、３とでホッパー状の投入口４を構成している。リアエンドカバー２の下端はフロントシュートカバー１と平行になるように後部方向に折曲して一定高さの投入通路５を形成している。この投入通路５の高さはシュレッダーの被細断紙の細断可能枚数を超える高さに設定されている。リアエンドカバー２の下面には、投入通路５の終端位置に面して投入された紙束の厚味を検知するための厚味制限筒体６が回動可能に設置されている。
【００１６】この厚味制限筒体６は、投入口４の開口幅とほぼ同じ長さを有する断面略コの字状の筒形部材で構成され、左右両端には側板６ａを有している。また、フロントシュートカバー１と対向する長手方向の角部６ｂ（細断紙と当接する部分）は丸め加工が施してある。この厚味制限筒体６は側板６ａの下部で投入口側板３、３間に架設した支軸７によって回動自在に軸支され、角部６ｂは支軸７を中心に円弧状に回動可能となっている（図４参照）。また、側板６ａの上部と投入口側板３のフロントシュートカバー１側にはそれぞれバネ取付軸８、８が取り付けられ、このバネ取付軸８、８間にはコイルバネ９を張設して厚味制限筒体６をフロントシュートカバー１側に常に回動するよう付勢している。
【００１７】筒形の厚味制限筒体６は上方を開口し、リアエンドカバー２に面して前壁６ｃが形成され、反対側には後壁６ｄが形成されているが、前壁６ｃはリアエンドカバー２の折曲終端に当接して回動が規制されている。そして、厚味制限筒体６の角部６ｂと対向するフロントシュートカバー１との間隔がシュレッダーの細断可能枚数と同じになるように位置関係が調整されている。即ち、この間隔で紙束の厚味を検知できることになる。
【００１８】また、後壁６ｄに近接してマイクロスイッチ１０が取り付けられ、そのアクチュエータ１０ａが厚味制限筒体６の回動によってその後壁６ｄと当接し、マイクロスイッチ１０がオン状態となるようになっている。このマイクロスイッチ１０はオン状態のときに細断刃の駆動モーターの回転を停止するように接続されている。
【００１９】なお、１１、１１は斜め２段に架設された縦切り用カッター、１２は横切り用回転カッター、１３は横切り用固定カッター、１４は駆動モーター、１５はギア群であり、何れもシュレッダーに周知の構成である。１６はシュレッダーの筺体、１７は屑箱、１８は扉である。また、（Ｐ）は被細断紙、（Ｑ）は細断屑である。
【００２０】次に、上記構成の投入口を有するシュレッダーの動作について説明する。シュレッダーの投入口４のフロントシュートカバー１に被細断紙（Ｐ）が供給されると、被細断紙はフロントシュートカバー１とリアエンドカバー２との間から投入通路５に案内される。
【００２１】被細断紙（Ｐ）が適正な細断枚数の紙束であれば、厚味制限筒体６の下方を通過してそのまま投入通路５から縦切り用カッター１１、１１の噛合部分に到達し正常に細断される。
【００２２】被細断紙が細断能力より多い枚数の紙束の場合、図４に示すように、投入通路５には入るが、フロントシュートカバー１と厚味制限筒体６の間隙をそのまま通過することはできず、紙束の厚味でコイルバネ９の力に抗して厚味制限筒体６を上方に押し上げることになる。すると、厚味制限筒体６は支軸７を中心に上方へ回動してその後壁６ｄがマイクロスイッチ１０のアクチュエータ１０ａを押してオン状態とし（図４（Ｂ）参照）、駆動モーター１４の回転が停止する。従って、細断が開始されることはなく、駆動モーターが過負荷となることを防止できる。
【００２３】また、適正な枚数の被細断紙（Ｐ）が供給された場合でも、供給角度や紙の質によって細断能力を超えて紙詰まりを起こすことがある。この場合、通常は、図示しない紙詰まり検知回路によって細断刃の駆動モーター１４は停止して細断を中止すると共に、該駆動モーター１４が逆転して紙詰まりを起こした被細断紙を逆の方向へ排出しようとする。このとき、操作者が紙詰まりを起こした紙束の後端を手で持って引き出すことになるが、この紙束の先端は図５（Ａ）に示すように、縦切り用カッターに一部が咬み込まれた結果、その先端がもとの紙束の厚味より膨大化してささくれ立っている。そのため、フロントシュートカバー１と厚味制限筒体６の間隙を通過する際に、厚味制限筒体６を押し上げることになる（同図（Ｂ）参照）。この場合も、上記と同様に厚味制限筒体６が支軸７を中心に回動してその後壁６ｄがマイクロスイッチ１０のアクチュエーター１０ａを押してオン状態とし、駆動モーター１４の逆回転が停止される。従って、従来のように逆転排出時の駆動モーター１４の駆動時間を予め設定する必要が無く、電力の浪費が確実に回避される。」
（４）　図１
「
                                                                  」
（５）　図４
「
                                                                  」
２　引用文献４の記載事項
　原査定の理由に引用された引用文献４には、「文書細断装置」（考案の名称）に関する次の事項が記載されている。
（１）　実用新案登録請求の範囲
「１．  文書等が投入される投入口を有するケーシング内に、一対の細断用カッターを互いに摺接するように対向配置してなる２つのカッター列が配設されている文書細断装置において、前記投入口の下部は下方に向つて間隔が狭まる略くさび状を形成した一対の案内板によつて構成され、前記一対の案内板の間には、ローラが前記一対の案内板の内面に当接しかつ自転可能に配設されていることを特徴とする文書細断装置。」
（２）　第５頁第１１行〜第１９行
「一対の案内板１８ａ，１８ｂの間には、ローラ１６がこの一対の案内板１８ａ，１８ｂの内面に当接しかつ自転可能に配設されている。さらにこのローラ１６は軽量の部材で製作されており、投入口１３から投入された文書等Ｐがローラ１６を上方へずらしながら、一対の案内板１８ａ，１８ｂのうちの一方、例えば案内板１８ｂとローラ１６との間に侵入できるようになっている。」
（３）　第６頁第５行〜第１０行
「文書細断中、投入口１３から投入された文書等Ｐは、ローラ１６を上方に少しずらし、ローラ１６と案内板１８ｂとの間に隙間を形成し、この隙間に入り込む。この場合文書Ｐを軽く上下に動かせば、容易に文書Ｐをローラ１６と案内板１８ｂとの間に入れることができる。」
（４）　第７頁第４行〜第１６行
「このため、文書等Ｐはローラ１６と案内板１６ｂとの間で挟持され、一対の案内板１８ａ，１８ｂの下方にある２つのカッター列１５との間で引張られた状態となり、文書等Ｐにテンションがかかる。これにより文書等Ｐのシワ寄りが防止され・・・と温州口１３がローラ１３によりしゃ断された状態となるので、カッター列１５から発生する騒音が、投入口１３を通ってケーシング外へ伝播するのを減少させることができる。」（当審注：「・・・」は記載の省略を表す。以下同じである。）
３　引用文献５の記載事項
　原査定の理由に引用された引用文献５には、「シュレッダー」（考案の名称）に関する次の事項が記載されている。
（１）　実用新案登録請求の範囲
「寸断すべき紙を投入する投入口をシュレッダー本体に開口し、投入口から挿入した紙を表裏両面から噛み込んで寸断する一対の回転刃を設け、寸断すべき紙の噛み込みと略同時に該紙を寸断するシュレッダーにおいて、前記投入口と回転刃の間で密着しながら紙を回転刃に導入する一対の防音ローラを設けたことを特徴とするシュレッダー。」
（２）　第４頁第８行〜第２０行
「本考案によれば・・・紙１１の変形状態に対応して柔軟材から成る防音ローラ１４、１５が紙１１に密着するので、該紙の波打ち振動に伴う騒音を低減することができることは勿論、紙と防音ローラ１４、１５間のギャップ及び防音ローラ１４、１５間のギャップがかなり縮小されることに伴いシュレッダー本体内部で生じる紙の細断音漏れ、駆動部駆動音漏れ等の騒音漏れをかなり低減することができる。」
（３）　第７頁第６行〜第１４行
「回転刃３、４に紙が噛み込まれて寸断される際には、その紙の後方側で防音ローラ３と４により紙を表裏両面から挟み込むようにして密着するようにしているので、紙がその幅方向に波打ち現象を起こしてもこれに対応して防音ローラ３と４が紙にくまなく接触することにより、その際に紙が波打ちをしようとして発生しようとする振動騒音を大幅に抑制してしまう。」
４　引用文献８の記載事項
　原査定の理由に引用された引用文献８には、「帯電除去具」（発明の名称）に関する次の事項が記載されている。
（１）　特許請求の範囲
「絶縁体と導電体とにより構成され１０８Ω以下の漏洩抵抗を有する導電性複合繊維からなる植毛層が導電性を有する接着剤層を介して導電性基材の表面に形成されたことを特徴とする帯電除去具」
（２）　第１頁左欄第１０〜第１４行
「本発明は例えば電子複写機、ファクシミリ等の紙送りロールやドラムの清掃ロール、金銭登録機の紙送りロール、あるいは各種ＯＡ機器の清掃ブラシ等として用いられる帯電除去具に関するものである。」
第５　引用文献７に記載された発明（引７発明）の認定
１　上記「第４」１（３）の記載事項から把握できる技術的事項は次のとおりである。
（１）　【００１５】の記載によれば、引用文献７には、フロントシュートカバー１とリアエンドカバー２とが投入口４を構成するとともに、一定高さの投入通路５を形成し、この投入通路５の高さはシュレッダーの被細断紙の細断可能枚数を超える高さに設定されており、投入通路５の終端位置に面して投入された紙束の厚味を検知するための厚味制限筒体６が回動可能に設置されているシュレッダーが記載されているといえる。
（２）　【００１６】の記載によれば、引用文献７には、厚味制限筒体６は、投入口４の開口幅とほぼ同じ長さを有する断面略コの字状の筒形部材で構成され、細断紙と当接する部分は丸め加工が施され、コイルバネ９により、フロントシュートカバー１側に常に回動するよう付勢されていることが記載されているといえる。
（３）　【００１７】の記載によれば、引用文献７には、厚味制限筒体６の角部６ｂと対向するフロントシュートカバー１との間隔がシュレッダーの細断可能枚数と同じになるように位置関係が調整されていることが記載されているといえる。
（４）　【００１８】の記載によれば、引用文献７には、厚味制限筒体６の回動によってマイクロスイッチ１０がオン状態となり、細断刃の駆動モーターの回転を停止することが記載されているといえる。
（５）　【００１９】の記載によれば、引用文献７には、シュレッダーが、斜め２段に架設された縦切り用カッター１１、１１、横切り用回転カッター１２、横切り用固定カッター１３、シュレッダーの筺体１６を備えることが、記載されているといえる。
（６）　【００２０】〜【００２２】によれば、引用文献７には、シュレッダーの動作について、シュレッダーの投入口４に供給された被細断紙（Ｐ）は、投入通路５に案内され、被細断紙（Ｐ）が適正な細断枚数の紙束であれば、厚味制限筒体６の下方を通過してそのまま投入通路５から縦切り用カッター１１、１１の噛合部分に到達し正常に細断され、被細断紙が細断能力より多い枚数の紙束の場合、投入通路５には入るが、フロントシュートカバー１と厚味制限筒体６の間隙をそのまま通過することはできず、紙束の厚味でコイルバネ９の力に抗して厚味制限筒体６を上方に押し上げ、マイクロスイッチ１０のアクチュエータ１０ａを押してオン状態とし、駆動モーター１４の回転が停止することが、記載されているといえる。
２　上記「第４」１（４）の図１によれば、投入通路は前記投入口から斜め下方に傾斜して配置されていることが看取できる。
３　上記１、２によれば、引用文献７には次の発明（以下、「引７発明」という。）が記載されているといえる。
　「投入口４を構成するとともに、投入口４から斜め下方に傾斜して配置される一定高さの投入通路５を形成する、フロントシュートカバー１及びリアエンドカバー２を有し、
　この投入通路５の高さはシュレッダーの被細断紙の細断可能枚数を超える高さに設定され、
　投入通路５の終端位置に投入された紙束の厚味を検知するための厚味制限筒体６が回動可能に設置され、
　厚味制限筒体６は、投入口４の開口幅とほぼ同じ長さを有する断面略コの字状の筒形部材で構成され、細断紙と当接する部分は丸め加工が施され、コイルバネ９により、フロントシュートカバー１側に常に回動するよう付勢され、
　厚味制限筒体６の角部６ｂと対向するフロントシュートカバー１との間隔がシュレッダーの細断可能枚数と同じになるように位置関係が調整され、
　厚味制限筒体６の回動によってマイクロスイッチ１０がオン状態となり、細断刃の駆動モーターの回転が停止し、
　斜め２段に架設された縦切り用カッター１１、１１、横切り用回転カッター１２、横切り用固定カッター１３、シュレッダーの筺体１６を備えたシュレッダーであって、
　シュレッダーの投入口４に供給された被細断紙（Ｐ）は、投入通路５に案内され、被細断紙（Ｐ）が適正な細断枚数の紙束であれば、厚味制限筒体６の下方を通過してそのまま投入通路５から縦切り用カッター１１、１１の噛合部分に到達し正常に細断され、被細断紙が細断能力より多い枚数の紙束の場合、投入通路５には入るが、フロントシュートカバー１と厚味制限筒体６の間隙をそのまま通過することはできず、紙束の厚味でコイルバネ９の力に抗して厚味制限筒体６を上方に押し上げ、マイクロスイッチ１０のアクチュエータ１０ａを押してオン状態とし、駆動モーター１４の回転が停止する、
シュレッダー。」
第６　引７発明を主たる引用発明とした進歩性についての検討
１　本願発明１について
（１）対比
　本願発明１と引７発明とを対比する。
ア　引７発明における「投入口４」は、本願発明１における「一若しくは複数枚のシート状物からなる被細断物が投入される投入口」に相当する。
イ　引７発明における「シュレッダーの筐体１６」は、本願発明１における「シュレッダ筐体」に相当する。
ウ　引７発明における「投入口４から斜め下方に傾斜して配置される一定高さの投入通路５」は、本願発明１における「前記投入口に連通して設けられ、前記投入口から投入された前記被細断物を下方に向けて搬入する搬入経路」及び「前記搬入経路は前記投入口から斜め下方に傾斜して配置されており」に相当する。
エ　引７発明における「斜め２段に架設された縦切り用カッター１１、１１、横切り用回転カッター１２、横切り用固定カッター１３」及び「厚味制限筒体６の下方を通過してそのまま投入通路５から縦切り用カッター１１、１１の噛合部分に到達し正常に細断され」は、本願発明１における「前記搬入経路の途中に設けられ、互いに噛み合うように配置される対構成のカッタ要素を有し、当該対構成のカッタ要素の噛み合い領域に搬入される被細断物を細断する細断機構」に相当する。
オ　引７発明における「厚味制限筒体」は、「投入通路５の終端位置」に設置され、「投入口４の開口幅とほぼ同じ長さを有する断面略コの字状の筒形部材で構成」され、「厚味制限筒体６の角部６ｂと対向するフロントシュートカバー１との間隔がシュレッダーの細断可能枚数と同じになるように位置関係が調整され」、「細断紙と当接する部分は丸め加工が施され」たものであり、本願発明１における「前記投入口から前記細断機構に至るまでの搬入経路の一部に前記被細断物の搬入方向に交差する幅方向に沿って設けられ、前記搬入経路の前記被細断物の厚さ方向に対応する開口幅を規制し」、「少なくとも前記被細断物に接触する部位が前記被細断物の搬入方向に沿って曲面を有する」、「規制部材」に相当する。
カ　引７発明は、「被細断紙（Ｐ）が適正な細断枚数の紙束であれば、厚味制限筒体６の下方を通過してそのまま投入通路５から縦切り用カッター１１、１１の噛合部分に到達し正常に細断され」るものであるから、引７発明における「厚味制限筒体」は、「１枚のシート状物が非接触状態で通過可能な隙間」を確保しているといえる。
キ　上記ア〜カによれば、本願発明１と引７発明とを対比すると、両発明は次の一致点及び相違点を有するものと認められる。
＜一致点＞
「一若しくは複数枚のシート状物からなる被細断物が投入される投入口を有するシュレッダ筐体と、
　前記投入口に連通して設けられ、前記投入口から投入された前記被細断物を下方に向けて搬入する搬入経路と、
　前記搬入経路の途中に設けられ、互いに噛み合うように配置される対構成のカッタ要素を有し、当該対構成のカッタ要素の噛み合い領域に搬入される被細断物を細断する細断機構と、
　前記投入口から前記細断機構に至るまでの搬入経路の一部に前記被細断物の搬入方向に交差する幅方向に沿って設けられ、前記搬入経路の前記被細断物の厚さ方向に対応する開口幅を規制する規制部材と、を備え、
　前記搬入経路は前記投入口から斜め下方に傾斜して配置されており、
　前記規制部材は、前記搬入経路の前記開口幅として予め決められた厚さ寸法の１枚のシート状物が非接触状態で通過可能な隙間を確保し、少なくとも前記被細断物に接触する部位が前記被細断物の搬入方向に沿って曲面を有することを特徴とするシュレッダ。」
＜相違点＞
　「規制部材」が被細断物と接触する場合について、本願発明は「細断可能な最大厚さ以下で前記隙間以上の厚さ寸法の被細断物が搬入されたときには、前記被細断物との接触により当該被細断物の厚さに応じて水平方向よりも斜め上方に向かって退避移動することで前記開口幅を規制する」のに対し、引７発明は、「被細断紙（Ｐ）が適正な細断枚数の紙束であれば、厚味制限筒体６の下方を通過してそのまま投入通路５から縦切り用カッター１１、１１の噛合部分に到達し正常に細断され、被細断紙が細断能力より多い枚数の紙束の場合、投入通路５には入るが、フロントシュートカバー１と厚味制限筒体６の間隙をそのまま通過することはできず、紙束の厚味でコイルバネ９の力に抗して厚味制限筒体６を上方に押し上げ、マイクロスイッチ１０のアクチュエータ１０ａを押してオン状態とし、駆動モーター１４の回転が停止する」点。
（２）相違点についての検討
ア　引７発明において、相違点に係る「細断可能な最大厚さ以下で前記隙間以上の厚さ寸法」の紙束が投入された場合に、当該紙束が「厚味制限筒体６」と接触し、「厚味制限筒体６を上方に押し上げ、マイクロスイッチ１０のアクチュエータ１０ａを押してオン状態とし、駆動モーター１４の回転が停止する」ような位置関係に調整することの容易想到性について検討する。
イ　引７発明は、「被細断紙（Ｐ）が適正な細断枚数の紙束であれば、厚味制限筒体６の下方を通過し」、「被細断紙が細断能力より多い枚数の紙束の場合」は、「厚味制限筒体６を上方に押し上げ、マイクロスイッチ１０のアクチュエータ１０ａを押してオン状態とし、駆動モーター１４の回転が停止」するという手段により、上記「第４」１（２）の【０００７】に記載の「紙束の細断時に所定枚数以上の紙が供給されて紙詰まりが発生することを防止するため、細断刃に一定量以上の紙が供給されないようにする」という課題を解決するものである。
　当該課題からすれば、引７発明において、相違点に係る「細断可能な最大厚さ以下で前記隙間以上の厚さ寸法」の紙束が投入された場合に、当該紙束と「厚味制限筒体６」とが接触するような位置関係に調整し、駆動モーター１４の回転を停止させることは、想定外の事項といわざるを得ない。そればかりか、適正な細断枚数の紙束であるにも関わらず駆動モーター１４の回転を停止させることとなるため、結果的に不要に細断効率を低下させることも明らかである。
　更に、上記「第４」２〜４の引用文献４、５、８の記載事項をみても、そこには、上記「隙間」を確保する「規制部材」に関する記載はなく、当然ながら当該位置関係の調整に関する記載もない。
　したがって、引７発明においてそのような位置関係に調整することは、当業者といえども容易に想起し得るものであるとはいい難い。
ウ　以上のとおりであるから、当業者が引用文献７に記載された発明並びに引用文献４、５、７及び８に記載された技術的事項に基いて、相違点に係る本願発明１の構成を、当業者が容易に想到することができたものとは認められない。
　よって、本願発明１が進歩性を欠如するということはできない
２　本願発明２〜７、１０、１１、１４〜１７、１９〜２２について
　本願発明２と引７発明との間には、上記１（１）キの相違点と同様の相違点が存するし、本願発明３〜７、１０、１１、１４〜１７、１９〜２２は、本願発明１又は２を直接的又は間接的に引用するものであるから、これら発明についても本願発明１と同様、進歩性を欠如するということはできない。
第７　引用文献４又は５に記載された発明を主たる引用発明とした進歩性についての検討
　引用文献４、５には、本願発明に係る「前記搬入経路の前記開口幅として予め決められた厚さ寸法の１枚のシート状物が非接触状態で通過可能な隙間を確保」し、「細断可能な最大厚さ以下で前記隙間以上の厚さ寸法の被細断物が搬入されたときには、前記被細断物との接触により当該被細断物の厚さに応じて水平方向よりも斜め上方に向かって退避移動することで前記開口幅を規制」する「規制部材」について、何らの記載も示唆もされていない。
　そして、そのような「規制部材」については、上記「第６」１（２）イのとおり、引用文献７にも記載されていない。
　したがって、引用文献４又は５に着目し、それらに記載された発明を主たる引用発明として考えても、当該引用発明並びに引用文献４、５、７及び８に記載された技術的事項に基いて、本願発明を当業者が容易に想到することができたものとは認められない。
　よって、本願発明１〜７、１０、１１、１４〜１７、１９〜２２が進歩性を欠如するということはできない。
第８　むすび
　以上のとおり、原査定の理由によっては、本願を拒絶することはできない。
　また、他に、原査定の対象とされていない請求項に係る発明を含め、本願を拒絶すべき理由を発見しない。
　よって、結論のとおり審決する。